【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
データネットワーク（３４）によりリンクされたサーバ（２２、２４）とクライアント（２６、２８、３０、３２）とを有する通信ネットワークで用いられるシステム（２０）であって、寄稿者が該クライアント（２６、２８、３０）を用いて資料を寄稿し、該資料が該サーバ（２２、２４）により格納され、該寄稿者が該クライアントを用いて既に寄稿された該資料に基づく派生物を作成し、該システム（２０）が、該派生物を作成するために用いられた該資料を寄稿した該寄稿者を特定することを可能にし、該システム（２０）が、該既に寄稿された資料を該派生物と関連づけることを可能にし、ユーザが該クライアント（２６、２８、３０、３２）を用いて、見物のために該資料にアクセスするシステム（２０）であって、
該既に寄稿された資料を該派生物に関連づける派生物情報を用いて、該既に寄稿された資料と該派生物とをナビゲートすることにより、該資料を見る手段（８４）と、
該既に寄稿された資料および該派生物の、見物された量に関する情報へのアクセスを提供する手段（６４、８２、８４）と、
を含むことを特徴とする、システム。
【請求項２】
前記アクセス情報と属性情報とに基づいて自動的に前記寄稿者に報酬を与える手段（７８）を更に含む、請求項１に記載のシステム。
【請求項３】
前記自動的に前記寄稿者に報酬を与える手段（７８）が、該寄稿者に金銭の分配（２４０）を自動的に行う手段をさらに含む、請求項２に記載のシステム。
【請求項４】
前記アクセス情報および前記属性情報に基づいて、前記既に寄稿された資料および前記派生物の、ユーザが直接的に（２３６）および間接的に（２３８）用いる量を決定する手段をさらに含む、請求項１に記載のシステム。
【請求項５】
オーサリング手段が、前記派生物の前記寄稿者が該派生物用の派生物タイプを入力することを可能にする手段（１３２）を更に含む、請求項１に記載のシステム。
【請求項６】
前記派生物タイプが代替のバージョンである、請求項５に記載のシステム。
【請求項７】
前記派生物タイプが、注釈である、請求項５に記載のシステム。
【請求項８】
前記見る手段が、前記派生物タイプに基づいてナビゲートする手段（８４）を更に含む、請求項１に記載のシステム。
【請求項９】
複数のパッセージという形態でウェブページを提供する手段を更に含む、請求項１に記載のシステム。
【請求項１０】
前記オーサリング手段が、前記寄稿者が各該パッセージのパッセージ特性を入力することを可能にする手段（８６）を更に含む、請求項９に記載のシステム。
【請求項１１】
前記パッセージ特性が、主題情報を含む、請求項１０に記載のシステム。
【請求項１２】
前記パッセージ特性が、媒体タイプを含む、請求項１０に記載のシステム。
【請求項１３】
前記見る手段が、前記パッセージ特性に基づいてナビゲートする手段（８４）を更に含む、請求項１０に記載のシステム。
【請求項１４】
前記派生物を作成するために用いられた前記資料を寄稿した前記寄稿者を特定する属性情報を、該寄稿者が、前記既に寄稿された資料からの派生物に資料を切り貼りすることによって、前記派生物のうちの１つを作成するときに、自動的に生成する手段を更に含む、請求項１に記載のシステム。
【請求項１５】
前記サーバ上の前記資料のコンテンツをサーチエンジンデータベースに自動的に広告する手段を更に含む、請求項１に記載のシステム。
【請求項１６】
前記ウェブページのコンテンツおよび構造を自動的に複製する手段を更に含む、請求項１に記載のシステム。
【請求項１７】
データネットワーク（３４）によりリンクされたサーバ（２２、２４）とクライアント（２６、２８、３０、３２）とを有する通信ネットワーク（２０）で用いられる方法であって、寄稿者が該クライアント（２６、２８、３０）を用いて資料を寄稿し、該資料が該サーバにより格納され、該寄稿者が既に寄稿された該資料に基づく派生物を作成し、該方法が、該派生物を作成するために用いられた該資料を寄稿した該寄稿者を特定することを可能にし、該方法が、該既に寄稿された資料を該派生物と関連づけることを可能にし、該クライアント（２６、２８、３０、３２）のユーザが、見物のために該資料にアクセスする方法であって、
派生物情報を用いて、該既に寄稿された資料と該派生物とをナビゲートすることにより、該資料を見る工程と、
該既に寄稿された資料および該派生物の、見物された量に関する情報へのアクセスを提供する工程と、
を含むことを特徴とする、方法。
【請求項１８】
前記ユーザによりアクセスされた前記資料の量と属性情報とに基づいて自動的に前記寄稿者に報酬を与える工程を更に含む、請求項１７に記載の方法。
【請求項１９】
前記自動的に前記寄稿者に報酬を与える工程が、該寄稿者に金銭の分配（２４０）を自動的に行う工程をさらに含む、請求項１８に記載の方法。
【請求項２０】
前記アクセス情報および前記属性情報に基づいて、前記既に寄稿された資料および前記派生物の、ユーザが直接的に（２３６）および間接的に（２３８）用いた量を決定する工程をさらに含む、請求項１７に記載の方法。
【請求項２１】
前記派生物を作成する工程が、前記既に寄稿された資料に基づく派生資料の前記寄稿者が、該派生資料と関連づけるべき派生物タイプを入力することを可能にする工程を更に含む、請求項１７に記載の方法。
【請求項２２】
前記派生物タイプが代替のバージョンである、請求項２１に記載の方法。
【請求項２３】
前記派生物タイプが、注釈である、請求項２１に記載の方法。
【請求項２４】
前記見る工程が、前記派生物タイプに基づいてナビゲートする工程を更に含む、請求項２１に記載の方法。
【請求項２５】
複数のパッセージという形態でウェブページを提供する工程を更に含む、請求項１７に記載の方法。
【請求項２６】
前記派生物を作成する工程が、前記寄稿者が各該パッセージのパッセージ特性を入力することを可能にする工程を更に含む、請求項２５に記載の方法。
【請求項２７】
前記パッセージ特性が、主題情報を含む、請求項２６記載の方法。
【請求項２８】
前記パッセージ特性が、媒体タイプを含む、請求項２６に記載の方法。
【請求項２９】
前記見る工程が、前記パッセージ特性に基づいてナビゲートする工程を更に含む、請求項２６に記載の方法。
【請求項３０】
前記派生物を作成するために用いられた前記資料を寄稿した前記寄稿者を特定する属性情報を、該寄稿者が、前記既に寄稿された資料からの派生物に資料を切り貼りすることによって、前記派生物のうちの１つを作成するときに、自動的に生成する工程を更に含む、請求項１７に記載の方法。
【請求項３１】
前記サーバ上の前記資料のコンテンツをサーチエンジンデータベースに自動的に広告する工程を更に含む、請求項１７に記載の方法。
【請求項３２】
前記ウェブページのコンテンツおよび構造を自動的に複製する工程を更に含む、請求項１７に記載の方法。
【請求項３３】
ワールドワイドウェブ（Ｗｅｂ）通信をサポートするデータネットワークによりリンクされたサーバとクライアントとを有する通信ネットワークで用いられる方法であって、寄稿者が該クライアントを用いて資料を寄稿し、該資料がウェブページの形態で該サーバにより格納され、該クライアント側のユーザが該資料を見るためにアクセスし、
該方法は、
寄稿者が、少なくともいくつかの該寄稿された資料が、他の寄稿者から寄稿された資料に基づいている場合に、異なる言語で資料を寄稿することを可能にする工程と、
寄稿された資料が他の寄稿者によって用いられる寄稿者を特定する属性情報を生成する工程と、
１つの言語による該寄稿された資料と、別の言語による該寄稿された資料とを関連づける派生情報を生成する工程と、
該ユーザが少なくともいくつかの寄稿された資料を見ることを可能にする工程と、見られている該寄稿された資料の言語以外の言語で寄稿された資料を入手できる場合に該ユーザに警告する工程と、該ユーザが言語の１つを選択することを可能にする工程と、該ユーザが該選択された言語による該寄稿された資料のみを見ることを可能にする工程と、を含むナビゲーションツールを提供する工程と、
該寄稿された資料が見られる量に関するアクセス情報を提供する工程と
を含む、方法。
【請求項３４】
前記アクセス情報と前記属性情報に基づいて前記寄稿者に自動的に報酬を与える工程を更に含む、請求項３３に記載の方法。
【請求項３５】
前記寄稿者に自動的に報酬を与える工程が、該寄稿者に金銭の分配を自動的に行う工程を更に含む、請求項３４に記載の方法。
【請求項３６】
前記アクセス情報および前記属性情報に基づいて、前記寄稿された資料を、前記ユーザが直接的におよび間接的に用いる量を決定する工程を更に含む、請求項３３に記載の方法。
【請求項３７】
ウェブページ上の複数のパッセージという形態で前記寄稿された資料を提供する工程を更に含む、請求項３３に記載の方法。
【請求項３８】
見るために前記パッセージをディスプレイする工程と、
パッセージが別のパッセージの派生物である場合に、前記パッセージを見るユーザに警告する工程と
を更に含む請求項３７に記載の方法。
【請求項３９】
前記寄稿者が各パッセージのパッセージ特性を特定することを可能にする工程を更に含む、請求項３７に記載の方法。
【請求項４０】
前記パッセージ特性が主題情報を含む、請求項３９に記載の方法。
【請求項４１】
属性情報を生成する工程が、ひとりの寄稿者が別の寄稿者から寄稿された資料を切り貼りすることによって資料を寄稿する場合に、前記属性情報を自動的に生成する工程をさらに含む、請求項３３に記載の方法。
【請求項４２】
ワールドワイドウェブ（Ｗｅｂ）通信をサポートするデータネットワークによりリンクされたサーバとクライアントとを有する通信ネットワークで用いられる方法であって、寄稿者が該クライアントを用いて資料を寄稿し、該資料がウェブページの形態で該サーバにより格納され、該クライアント側のユーザが該資料を見るためにアクセスし、
該方法は、
寄稿者が、少なくともいくつかの該寄稿された資料が、他の寄稿者から寄稿された資料に基づいている場合に、異なるメディアタイプで資料を寄稿することを可能にする工程と、
寄稿された資料が他の寄稿者によって用いられる寄稿者を特定する属性情報を生成する工程と、
１つのメディアタイプによる該寄稿された資料と、別のメディアタイプによる該寄稿された資料とを関連づける派生情報を生成する工程と、
該ユーザが少なくともいくつかの寄稿された資料を見ることを可能にする工程と、見られている該寄稿された資料のメディアタイプ以外のメディアタイプで寄稿された資料を入手できる場合にユーザに警告する工程と、ユーザがメディアタイプの１つを選択することを可能にする工程と、該ユーザが該選択されたメディアタイプによる該寄稿された資料のみを見ることを可能にする工程と、を含むナビゲーションツールを提供する工程と、
該寄稿された資料が見られる量に関するアクセス情報を提供する工程と
を含む、方法。
【請求項４３】
前記アクセス情報と前記属性情報に基づいて前記寄稿者に自動的に報酬を与える工程を更に含む、請求項４２に記載の方法。
【請求項４４】
前記寄稿者に自動的に報酬を与える工程が、該寄稿者に金銭の分配を自動的に行う工程を更に含む、請求項４３に記載の方法。
【請求項４５】
前記アクセス情報および前記属性情報に基づいて、前記寄稿された資料を、前記ユーザが直接的におよび間接的に用いる量を決定する工程を更に含む、請求項４２に記載の方法。
【請求項４６】
ウェブページ上の複数のパッセージという形態で前記寄稿された資料を提供する工程を更に含む、請求項４２に記載の方法。
【請求項４７】
見るために前記パッセージをディスプレイする工程と、パッセージが別のパッセージの派生物である場合に、前記パッセージを見るユーザに警告する工程と、を更に含む請求項４６に記載の方法。
【請求項４８】
前記寄稿者が各パッセージのパッセージ特性を特定することを可能にする工程を更に含む、請求項４６に記載の方法。
【請求項４９】
前記パッセージ特性が主題情報を含む、請求項４８に記載の方法。
【請求項５０】
属性情報を生成する工程が、ひとりの寄稿者が別の寄稿者から寄稿された資料を切り貼りすることによって資料を寄稿する場合に、前記属性情報を自動的に生成する工程をさらに含む、請求項４２に記載の方法。
【請求項５１】
ワールドワイドウェブ（Ｗｅｂ）通信をサポートするデータネットワークによりリンクされたサーバとクライアントとを有する通信ネットワークで用いられる方法であって、寄稿者が該クライアントを用いて多様な主題の資料を寄稿し、該資料がウェブページの形態で該サーバにより格納され、該クライアント側のユーザが該資料を見るためにアクセスし、
該方法は、
寄稿者が、少なくともいくつかの該寄稿された資料が、他の寄稿者から寄稿された資料に基づいている場合に、異なる主題で資料を寄稿することを可能にする工程と、
寄稿された資料が他の寄稿者によって用いられる寄稿者を特定する属性情報を生成する工程と、
１つの主題に関する該寄稿された資料と、別の主題に関する該寄稿された資料とを関連づける派生情報を生成する工程と、
該ユーザが少なくともいくつかの寄稿された資料を見ることを可能にする工程と、見られている該寄稿された資料の主題以外の主題に関して寄稿された資料を入手できる場合にユーザに警告する工程と、ユーザがメ主題の１つを選択することを可能にする工程と、該ユーザが該選択された主題に関する該寄稿された資料のみを見ることを可能にする工程と、を含むナビゲーションツールを提供する工程と、
該寄稿された資料が見られる量に関するアクセス情報を提供する工程と
を含む、方法。
【請求項５２】
前記アクセス情報と前記属性情報に基づいて前記寄稿者に自動的に報酬を与える工程を更に含む、請求項５１に記載の方法。
【請求項５３】
前記寄稿者に自動的に報酬を与える工程が、該寄稿者に金銭の分配を自動的に行う工程を更に含む、請求項５２に記載の方法
【請求項５４】
前記アクセス情報および前記属性情報に基づいて、前記寄稿された資料を、前記ユーザが直接的におよび間接的に用いる量を決定する工程を更に含む、請求項５１に記載の方法。
【請求項５５】
ウェブページ上の複数のパッセージという形態で前記寄稿された資料を提供する工程を更に含む、請求項５１に記載の方法。
【請求項５６】
見るために前記パッセージをディスプレイする工程と、
パッセージが別のパッセージの派生物である場合に、前記パッセージを見るユーザに警告する工程と
を更に含む請求項５５に記載の方法。
【請求項５７】
前記寄稿者が各パッセージのパッセージ特性を特定することを可能にする工程を更に含む、請求項５５に記載の方法。
【請求項５８】
前記パッセージ特性が主題情報を含む、請求項５７に記載の方法。
【請求項５９】
属性情報を生成する工程が、ひとりの寄稿者が別の寄稿者から寄稿された資料を切り貼りすることによって資料を寄稿する場合に、前記属性情報を自動的に生成する工程をさらに含む、請求項５１に記載の方法。
【請求項６０】
ワールドワイドウェブ（Ｗｅｂ）通信をサポートするデータネットワークによりリンクされたサーバとクライアントとを有する通信ネットワークで用いられる方法であって、寄稿者が該クライアントを用いて資料を寄稿し、該資料がウェブページの形態で該サーバにより格納され、該クライアント側のユーザが該資料を見るためにアクセスし、
該方法は、
寄稿者が、該寄稿された資料のうち少なくともいくつかの部分が、該寄稿された資料の他の部分の別のバージョンである場合に、サーバにより格納される資料を寄稿することを可能にする工程と、
寄稿された資料が格納される前記寄稿者を特定する属性情報を生成する工程と、
何人かの該寄稿者の該寄稿された資料と、他の寄稿者の該寄稿された資料とを関連づける派生情報を生成する工程と、
該ユーザが該クライアントの１つにおいて多様な寄稿者の該寄稿された資料を見ることを可能にする工程と、
ディスプレイされた該寄稿された資料の別のバージョンがある場合に、該ユーザに警告する工程と、
該寄稿された資料が見られる量に関するアクセス情報を提供する工程と
を含む、方法。
【請求項６１】
該ユーザがナビゲーションツールを用いて、寄稿された資料をディスプレイするか、関連する別のバージョンかの間で選択することを可能にする工程を更に含む、請求項６０に記載の方法。
【請求項６２】
前記アクセス情報と前記属性情報に基づいて前記寄稿者に自動的に報酬を与える工程を更に含む、請求項６０に記載の方法。
【請求項６３】
前記寄稿者に自動的に報酬を与える工程が、該寄稿者に金銭の分配を自動的に行う工程を更に含む、請求項６２に記載の方法。
【請求項６４】
前記アクセス情報および前記属性情報に基づいて、前記寄稿された資料を、前記ユーザが直接的におよび間接的に用いる量を決定する工程を更に含む、請求項６０に記載の方法。
【請求項６５】
ウェブページ上の複数のパッセージという形態で前記寄稿された資料を提供する工程を更に含む、請求項６０に記載の方法。
【請求項６６】
前記寄稿者が各パッセージのパッセージ特性を特定することを可能にする工程を更に含む、請求項６５に記載の方法。
【請求項６７】
前記パッセージ特性が主題情報を含む、請求項６６に記載の方法。
【請求項６８】
属性情報を生成する工程が、ひとりの寄稿者が別の寄稿者から寄稿された資料を切り貼りすることによって資料を寄稿する場合に、前記属性情報を自動的に生成する工程をさらに含む、請求項６０に記載の方法。
【請求項６９】
ワールドワイドウェブ（Ｗｅｂ）通信をサポートするデータネットワークによりリンクされたサーバとクライアントとを有する通信ネットワークで用いられる方法であって、寄稿者が該クライアントを用いて資料を寄稿し、該資料がウェブページの形態で該サーバにより格納され、該クライアント側のユーザが該資料を見るためにアクセスし、
該方法は、
該資料が特定のメディアタイプ、特定の言語、および特定の主題であり、該寄稿された資料のうち少なくともいくつかの部分が、該寄稿された資料の他の部分の別のバージョンである場合に、寄稿者が、サーバにより格納される資料を寄稿することを可能にする工程と、
寄稿された資料が格納される前記寄稿者を特定する属性情報を生成する工程と、
何人かの該寄稿者の該寄稿された資料と、他の寄稿者の該寄稿された資料とを関連づける派生情報を生成する工程と、
該ユーザが該クライアントの１つにおいて該寄稿された資料の少なくともいくつかを見ることを可能にする工程と、寄稿された資料が、見られている該寄稿された資料の別のバージョンで入手可能である場合に、該ユーザに警告する工程と、該ユーザが別のバージョンを選択することを可能にする工程と、該ユーザが該選択された別のバージョンを見ることを可能にする工程と、見られている該寄稿された資料の言語以外の言語で寄稿された資料を入手できる場合に該ユーザに警告する工程と、該ユーザが言語の１つを選択することを可能にする工程と、該ユーザが該選択された言語による該寄稿された資料のみを見ることを可能にする工程と、見られている該寄稿された資料のメディアタイプ以外のメディアタイプで寄稿された資料を入手できる場合に該ユーザに警告する工程と、該ユーザがメディアタイプの１つを選択することを可能にする工程と、該ユーザが該選択されたメディアタイプによる該寄稿された資料のみを見ることを可能にする工程と、見られている該寄稿された資料の主題以外の主題で寄稿された資料を入手できる場合に該ユーザに警告する工程と、該ユーザが主題の１つを選択することを可能にする工程と、該ユーザが該選択された主題による該寄稿された資料のみを見ることを可能にする工程と、を含むナビゲーションツールを提供する工程と、
該寄稿された資料が見られる量に関するアクセス情報を提供する工程と
を含む方法。
【請求項７０】
前記アクセス情報と前記属性情報に基づいて前記寄稿者に自動的に報酬を与える工程を更に含む、請求項６９に記載の方法。
【請求項７１】
前記寄稿者に自動的に報酬を与える工程が、該寄稿者に金銭の分配を自動的に行う工程を更に含む、請求項７０に記載の方法。
【請求項７２】
前記アクセス情報および前記属性情報に基づいて、前記寄稿された資料を、前記ユーザが直接的におよび間接的に用いる量を決定する工程を更に含む、請求項６９に記載の方法。
【請求項７３】
ウェブページ上の複数のパッセージという形態で前記寄稿された資料を提供する工程を更に含む、請求項６９に記載の方法。
【請求項７４】
パッセージが別のパッセージの派生物である場合に、前記パッセージを見るユーザに警告する工程を更に含む、請求項７３に記載の方法。
【請求項７５】
前記寄稿者が各パッセージのパッセージ特性を特定することを可能にする工程を更に含む、請求項７３に記載の方法。
【請求項７６】
前記パッセージ特性が主題情報を含む、請求項７５に記載の方法。
【請求項７７】
属性情報を生成する工程が、ひとりの寄稿者が別の寄稿者から寄稿された資料を切り貼りすることによって資料を寄稿する場合に、自動的に前記属性情報を生成する工程をさらに含む、請求項６９に記載の方法。
【請求項７８】
データネットワークによりリンクされたサーバとクライアントとを有する通信ネットワークで用いられる方法であって、寄稿者が該クライアントを用いて資料を寄稿し、該資料が該サーバにより格納され、該クライアント側のユーザが該資料を見るためにアクセスし、
該方法は、
以前に寄稿された資料に基づき、該寄稿者によって使用されるオーサリングツールで派生物を作成する工程と、
複数の派生物を同時に作成し得るように、各派生物が個々のコピーとして保存されることを確実にする工程と、
該派生物を作成するために使用された資料の寄稿者を特定する属性情報を生成する工程であって、該属性情報が、各派生物から、該派生物が基礎にしている該以前に寄稿された資料への属性リンクを含む、工程と、
該以前に寄稿された資料からその以前に寄稿された資料を基礎とする各派生物への派生リンクを生成する工程であって、少なくとも該派生物のうち任意の１つが、該任意の派生物を基礎とする関連する派生物を有し、該任意の派生物およびその関連する派生物が、該属性リンクの１つおよび該派生リンクの１つによってリンクされ、該任意の派生物および該任意の派生物が基礎にしている 該以前に寄稿された資料が、該属性リンクの別の１つおよび該派生リンクの別の１つによってリンクされる、工程と、
該派生リンクおよび該属性リンクに従ってナビゲートにより資料を見る工程であって、該ユーザが、該任意の派生物と以前に寄稿された資料との間の属性リンクを使用して、該任意の派生物から該任意の派生物が基礎にしている該以前に寄稿された資料へとナビゲートし、該ユーザが、その以前に寄稿された資料と該任意の派生物との間の派生リンクを使用して、その以前に寄稿された資料から該任意のナビ派生物へとゲートし、該ユーザが、該任意の派生物とその関連する派生物との間の派生リンクを使用して、該任意の派生物からその関連する派生物へとナビゲートし、該ユーザが、該関連する派生物と該任意の派生物との間の属性リンクを使用して、該関連する派生物から該任意の派生物へとナビゲートする、工程と、
該以前に寄稿された資料および派生物が見られる量に関するアクセス情報を提供する工程と
を含む方法。
【請求項７９】
前記寄稿者が寄稿した資料が前記ユーザによってアクセスされる量および該属性情報に基づいて、前記寄稿者に自動的に報酬を与える工程を更に含む、請求項７８に記載の方法。
【請求項８０】
前記寄稿者に自動的に報酬を与える工程が、該寄稿者に金銭の分配を自動的に行う工程を更に含む、請求項７９に記載の方法。
【請求項８１】
前記アクセス情報および前記属性情報に基づいて、前記以前に寄稿された資料および前記派生物を、前記ユーザが直接的におよび間接的に用いる量を決定する工程を更に含む、請求項７８に記載の方法。
【請求項８２】
派生物を作成する工程が、以前に寄稿された資料に基づく派生的な資料の寄稿者が、該派生的な資料に関連する派生物タイプを入力することを可能にする工程を更に含む、請求項７８に記載の方法。
【請求項８３】
前記派生物タイプが代替のバージョンである、請求項８２に記載の方法。
【請求項８４】
前記派生物タイプが、注釈である、請求項８２に記載のシステム。
【請求項８５】
見る工程が、前記派生物タイプに基づいてナビゲートする工程を更に含む、請求項８２に記載の方法。
【請求項８６】
複数のパッセージという形態でウェブページを提供する工程を更に含む、請求項７８に記載の方法。
【請求項８７】
前記派生物を作成する工程が、寄稿者が各パッセージに関連するパッセージ特性を入力することを可能にする工程を更に含む、請求項８６に記載の方法。
【請求項８８】
前記パッセージ特性が主題情報を含む、請求項８７に記載の方法。
【請求項８９】
前記パッセージ特性がメディアタイプを含む、請求項８７に記載の方法。
【請求項９０】
前記見る工程が、前記パッセージ特性に基づいてナビゲートする工程を更に含む、請求項８７に記載の方法。
【請求項９１】
前記属性情報を生成する工程が、前記寄稿者が、前記以前に寄稿された資料からの前記派生物に資料を切り貼りすることによって、前記派生物のうちの１つを作成するときに、前記属性情報を自動的に生成する工程を更に含む、請求項７８に記載の方法。
【請求項９２】
前記サーバ上の前記資料のコンテンツをサーチエンジンデータベースに自動的に広告する工程を更に含む、請求項７８に記載の方法。
【請求項９３】
前記ウェブページのコンテンツおよび構造を自動的に複製する工程を更に含む、請求項７８に記載の方法。
【請求項９４】
ワールドワイドウェブ（Ｗｅｂ）通信をサポートするデータネットワークにおいて使用するための方法であって、寄稿者が、クライアントの使用を通じて資料を寄稿し、該資料がウェブページの形態で該サーバにより格納され、該クライアント側のユーザが該格納された資料を見るためにアクセスし、
該方法は、
以前に寄稿された資料に基づき、該寄稿者によって使用されるクライアントベースのオーサリングツールによって作成される派生物を格納する工程と、
複数の派生物を同時に作成し得るように、各派生物が個々のコピーとして保存されることを確実にする工程と、
該派生物を作成するために資料が使用される該寄稿者を特定する属性情報を格納する工程であって、該属性情報が、各派生物からその派生物が基礎とする該寄稿された資料への属性リンクを含む、工程と、
該以前に寄稿された資料からその以前に寄稿された資料を基礎とする各派生物への派生リンクを格納する工程であって、少なくとも該派生物のうち任意の１つが、該任意の派生物を基礎とする関連する派生物を有し、該任意の派生物およびその関連する派生物が、該属性リンクの１つおよび該派生リンクの１つによってリンクされ、該任意の派生物および該任意の派生物が基礎としている該以前に寄稿された資料が、該属性リンクの別の１つおよび該派生リンクの別の１つによってリンクされる、工程と、
該ユーザが、該派生リンクおよび該属性リンクに従ってナビゲートにより該資料を見ることを可能にするために、該クライアントの少なくとも１つに対してナビゲーションツールを提供する工程であって、該ユーザが、該任意の派生物と以前に寄稿された資料との間の属性リンクを使用して、該任意の派生物から該任意の派生物が基礎としている該以前に寄稿された資料へとナビゲートし、該ユーザが、その以前に寄稿された資料と該任意の派生物との間の派生リンクを使用して、その以前に寄稿された資料から該任意のナビ派生物へとゲートし、該ユーザが、該任意の派生物とその関連する派生物との間の派生リンクを使用して、該任意の派生物からその関連する派生物へとナビゲートし、該ユーザが、該関連する派生物と該任意の派生物との間の属性リンクを使用して、該関連する派生物から該任意の派生物へとナビゲートする、工程と、
該以前に寄稿された資料および派生物が見られる量に関するアクセス情報を該クライアントから受け取る工程と
を含む、方法。
【請求項９５】
寄稿者が、以前に寄稿された資料に基づき、オーサリングツールを用いて、派生物を作成することを可能にすることと、
各派生物からその派生物が基礎とする該以前に寄稿された資料への属性リンクを自動的に生成することと、
ユーザが該資料を通じてナビゲートすることを可能にすることと
を含み、
該ユーザが、該生成された属性リンクの１つを使用して、任意の派生物から該任意の派生物が基礎とする該以前に寄稿された資料へとナビゲートする、資料を寄稿し、かつ、見る方法。
【請求項９６】
各以前に寄稿された資料からその以前に寄稿された資料を基礎とする各派生物への派生リンクを自動的に生成することを更に含み、
前記ユーザが、該派生リンクのうちの１つを使用して、該任意の派生物が基礎とする該以前に寄稿された資料から該任意の派生物へとナビゲートする、請求項９５に記載の方法。
【請求項９７】
前記派生物を作成するために使用される資料の寄稿者を特定する属性情報を生成することを更に含む、請求項９５に記載の方法。
【請求項９８】
前記以前に寄稿された資料および派生物が見られる量に関するアクセス情報を提供することを更に含む、請求項９５に記載の方法。
【請求項９９】
前記アクセス情報に基づいて前記寄稿者に自動的に報酬を与えることを更に含む、請求項９８に記載の方法。
【請求項１００】
前記寄稿者に前記自動的に報酬を与えることが、該寄稿者に金銭の分配を自動的に行うことを更に含む、請求項９９に記載の方法。
【請求項１０１】
前記アクセス情報に基づいて、前記以前に寄稿された資料および前記派生物を、前記ユーザが直接的におよび間接的に用いる量を決定することを更に含む、請求項９８に記載の方法。
【請求項１０２】
派生物の寄稿者が、前記オーサリングツールを用いて、該派生物の派生物タイプを入力することを可能にすることを更に含む、請求項９５に記載の方法。
【請求項１０３】
該派生物タイプが代替のバージョンである、請求項１０２に記載の方法。
【請求項１０４】
前記派生物タイプが、注釈である、請求項１０２に記載の方法。
【請求項１０５】
前記派生物タイプが、コンピュータプログラミング言語である、請求項１０２に記載の方法。
【請求項１０６】
前記派生物がソースコードを含む、請求項１０５に記載の方法。
【請求項１０７】
前記ユーザが、前記派生物タイプに基づき、前記資料を通じてナビゲートすることを可能にすることを更に含む、請求項１０２に記載の方法。
【請求項１０８】
前記以前に寄稿された資料および前記派生物を、ウェブページの形態で提供することを更に含む、請求項９５に記載の方法。
【請求項１０９】
前記以前に寄稿された資料および前記派生物を、複数のパッセージという形態で提供することを更に含む、請求項９５に記載の方法。
【請求項１１０】
寄稿者が、前記オーサリングツールを用いて、各パッセージのパッセージ特性を入力することを可能にすることを更に含む、請求項１０９に記載の方法。
【請求項１１１】
前記パッセージ特性が主題情報を含む、請求項１１０に記載の方法。
【請求項１１２】
前記パッセージ特性がメディアタイプを含む、請求項１１０に記載の方法。
【請求項１１３】
前記ユーザが、前記パッセージ特性に基づき、前記資料を通じてナビゲートすることを可能にすることを更に含む、請求項１１０に記載の方法。
【請求項１１４】
前記属性リンクを自動的に生成することが、前記寄稿者が前記以前に寄稿された資料からの前記派生物に資料を切り貼りすることによって、前記派生物のうちの１つを作成する場合に、前記属性リンクを自動的に生成することを更に含む、請求項９５に記載の方法。
【請求項１１５】
前記以前に寄稿された資料および派生物のコンテンツをサーチエンジンデータベースに自動的に広告することを更に含む、請求項９５に記載の方法。
【請求項１１６】
前記以前に寄稿された材料および前記派生物を自動的に複製することを更に含む、請求項９５に記載の方法。
【請求項１１７】
スポンサーがインタラクティブウェブブックをセットアップすることを可能にすることと、
寄稿者が該インタラクティブウェブブックに資料を寄稿することを可能にすることと、
該スポンサーおよび該寄稿者の両方を補償することと
を含む、インタラクティブウェブブックを管理する方法。
【請求項１１８】
第１インタラクティブウェブブックをサポートすることと、
スポンサーが該第１インタラクティブウェブブックを複製して第２インタラクティブウェブブックを作成することを可能にすることと、
該第２インタラクティブウェブブックから得られた収益に基づいて該第１インタラクティブウェブブックの寄稿者を補償することと
を含む、インタラクティブウェブブックを管理する方法。
【請求項１１９】
データネットワーク（３４）によりリンクされたサーバ（２２、２４）とクライアント（２６、２８、３０、３２）とを有する通信ネットワークで用いられるシステム（２０）であって、図１に示されるシステム。